(57)【要約】【課題】隣接する樹脂系屋根材同士を確実に一体化して雨水の浸入を防止できるうえ、吊り子を不要にして施工作業も簡易にする。【解決手段】家屋等の屋根Ｙ上に敷設施工される樹脂系屋根材において、隣設される一方の樹脂系屋根材１の表面に係止部１１を形成すると共に、他方の樹脂系屋根材２の裏面に係止受部２１を形成してなり、上記係止受部２１に上記係止部１１を係止させて、上記樹脂系屋根材１、２が敷設施工される構造にしている。【選択図】図１
2006307539.tif 000002
【特許請求の範囲】
【請求項１】
家屋等の屋根上に敷設施工される樹脂系屋根材において、
隣設される一方の樹脂系屋根材の表面に係止部を形成すると共に、他方の樹脂系屋根材の裏面に係止受部を形成してなり、
上記係止受部に上記係止部を係止させて、上記樹脂系屋根材が敷設施工される構造にしたことを特徴とする樹脂系屋根材の施工構造。
【請求項２】
請求項１において、
係止部及び係止受部は、樹脂系屋根材の一端縁の全部又は一部に形成されたことを特徴とする樹脂系屋根材の施工構造。
【請求項３】
請求項１又は２の何れかにおいて、
所望の樹脂系屋根材に吊り子を装着したことを特徴とする樹脂系屋根材の施工構造。
【発明の詳細な説明】
【技術分野】
【０００１】
本発明は、家屋等の屋根上に敷設施工される樹脂系屋根材の施工構造に関する。
【背景技術】
【０００２】
従来、家屋等の屋根上には、粘土やセメントを主原料とする窯業系瓦が屋根材として最も一般的に用いられてきたが、窯業系瓦は、高重量であるため、建物に対する負荷が大きく、設計上荷重に耐えうるものであっても地震に際しては家屋の倒壊の原因となる。また、振動により落下した場合には、破損して、付近の人や物に甚大な被害を及ぼすという問題もあった。
【０００３】
そこで、近年では、不飽和ポリエステル樹脂、フェノール樹脂やエポキシ樹脂等の熱硬化性樹脂に補強繊維や結合剤等を含んで成形した軽量且つ強度の大きな樹脂系屋根材が開発されている（例えば、特許文献１参照。）。
【０００４】
ところが、この樹脂系屋根材は、軽量且つ大きな強度を有する点では優れている反面、軽量であるために、強風等などによって樹脂系屋根材が浮き上がり易いという危険がある。
【０００５】
そのため、図３で示すように、敷設された樹脂系屋根材１０１の山部１２１の端縁に吊り子１０２を釘１０３で固定しておき、この吊り子１０２に他の樹脂系屋根材１０４端縁を係止させて樹脂系屋根材１０１、１０４を一体化することで、強風等による葺き上がりを防止する構造にしていた。
【特許文献１】特開２００２−２７６０８２号
【発明の開示】
【発明が解決しようとする課題】
【０００６】
しかしながら、従来の樹脂系屋根材１０１では、その適所に吊り子１０２を釘１０３で固定する作業を要するため、施工作業に手間を要するという問題があった。
【０００７】
また、波型の樹脂系屋根材１０１では、吊り子１０２を谷部１１１に固定すると、吊り子１０２の厚み近傍の隙間から雨水が浸入して雨漏りし易いため、吊り子１０２は、樹脂系屋根材１０１の山部１２１に固定しなければならない。
【０００８】
そのため、吊り子１０２を樹脂系屋根材１０１の山部１２１だけにしか固定できず、隣接する樹脂系屋根材１０１、１０３同士を確実に一体化することができず、例えば、台風等の暴風雨の状況下では、吊り子１０２で固定された山部１２１以外の部分では、強風によって隙間が生じてしまい、その隙間から雨水が浸入して雨漏りを生じるという問題もあった。
【０００９】
本発明は、かかる課題を解決することを目的とするもので、隣接する樹脂系屋根材同士を確実に一体化して雨水の浸入を防止できるうえ、吊り子を不要にして施工作業も簡易にできる樹脂系屋根材の施工構造を提供する。
【課題を解決するための手段】
【００１０】
上記目的を達成するため、
請求項１に係る樹脂系屋根材の施工構造は、家屋等の屋根上に敷設施工される樹脂系屋根材において、隣設される一方の樹脂系屋根材の表面に係止受部を形成すると共に、他方の樹脂系屋根材の裏面に係止部を形成してなり、上記係止受部に上記係止部を係止させて上記樹脂系屋根材が敷設施工される構造にしたことを特徴とする。
【００１１】
請求項２に係る樹脂系屋根材の施工構造は、請求項１において、係止部及び係止受部は、樹脂系屋根材の一端縁の全部又は一部に形成されたことを特徴とする。
【００１２】
請求項３に係る樹脂系屋根材の施工構造は、請求項１又は２の何れかにおいて、所望の樹脂系屋根材に吊り子を装着したことを特徴とする。
【発明の効果】
【００１３】
本発明によれば、次のような効果がある。
請求項１に係る樹脂系屋根材の施工構造によれば、一方の樹脂系屋根材の係止部を、他方の樹脂系屋根材の係止受部に係止するだけで、隣接される樹脂系屋根材同士を簡単且つ確実に一体化できる。
【００１４】
また、吊り子を不要にできるため、施工作業が容易であるうえ、係止される樹脂系屋根材同士に隙間を生じることがなく、隙間から雨水が浸入して雨漏りする危険も防止できる。
【００１５】
請求項２に係る樹脂系屋根材の施工構造によれば、係止受部及び係止部は、樹脂系屋根材の一端縁の全部又は一部に形成できるので、例えば、波型の樹脂系屋根材の谷部にのみ設けることも可能である。
【００１６】
また、これら係止受部及び係止部を樹脂系屋根材の一端縁の全部に設ければ、隣接される樹脂系屋根材同士を、より確実に一体化できるため、台風等の暴風雨の状況下でも、その強風によって隣接する樹脂系屋根材に隙間が生じることがなく、雨水の浸入による雨漏りを確実に防止できる。
【００１７】
請求項３に係る樹脂系屋根材の施工構造によれば、従来の吊り子を更に装着することも可能にしているので、例えば、波型の樹脂系屋根材の山部に吊り子を設けると共に、谷部には、係止受部及び係止部を係止させて、隣接される樹脂系屋根材同士を、より確実に一体化することもできる。
【発明を実施するための最良の形態】
【００１８】
以下、本発明に係る樹脂系屋根材の施工構造Ａを図面とともに説明する。
【実施例１】
【００１９】
図１は、本発明に係る樹脂系屋根材の施工構造Ａの一実施例を示す一部破断された施工状態の斜視図である。
【００２０】
この樹脂系屋根材の施工構造Ａを実施するまでの施工手順は、従来同様であり、具体的には、先ず、下地材Ｘを屋根Ｙ上に所定の間隔をあけて固定し、この下地材Ｘ上に野地板Ｚを釘又はビス等の固定具（不図示）で固定する。
【００２１】
次に、この固定した野地板Ｙ上にシート状の下葺き材Ｐを軒先側から棟側に向けて、その弛みや皺が生じないように敷設して従来同様に施工する。
【００２２】
このように施工された下葺き材Ｐ上に、本発明の樹脂系屋根材の施工構造Ａを行うのである。以下、詳説する。
【００２３】
樹脂系屋根材１は、不飽和ポリエステル樹脂、フェノール樹脂やエポキシ樹脂等の熱硬化性樹脂に補強繊維や結合剤等を含んで波型に一体成形された軽量且つ強度の大きなものである。
【００２４】
この樹脂系屋根材１を、下葺き材Ｐ上の軒先側に配置して、その適所に釘、ネジ等の固定具（不図示）で固定して横葺きした後、さらに棟側に向けて他の樹脂系屋根材２を同様にして葺き上げて敷設施工して行くのであるが、この樹脂系屋根材１の基端側（棟側）の表面には、上方に向けて凸設された係止部１１を形成すると共に、他方の樹脂系屋根材２の裏面には、係止部１１を嵌め入れて係止される溝状に凹んだ係止受部２１を形成してなる。
【００２５】
ここで、係止部１１及び係止受部２１の係止構造は、これに限定されるものではなく、例えば、後述するように係止部１１と係止受部２１を逆に形成しても良く、要は、隣接される一方の樹脂系屋根材１と、他方の樹脂系屋根材２とが、密着して係止される構造であれば採用できる。
【００２６】
また、係止部１１及び係止受部２１は、樹脂系屋根材１、２の上下端縁、側端縁等の一端縁の全部又は一部の何れに形成することも可能である。
【００２７】
例えば、一方の樹脂系屋根材１の基端側（棟側）の谷部１２表面だけに、上方に向けて凸設された係止部１１を形成すると共に、他方の樹脂系屋根材２の谷部２２の裏面には、係止部１１を嵌め入れて係止する凹んだ係止受部２１を形成しても良い。
【００２８】
このような一部だけに係止部１１及び係止受部２１を形成すれば、係止部１１を係止受部２１にスライドさせて嵌め込むだけで、簡単に係止することができる。
【００２９】
また、一方の樹脂系屋根材１に横葺きされる樹脂系屋根材（不図示）との係止が必要であれば、一方の樹脂系屋根材１の側端縁に係止部１１を形成し、この係止部１１に係止される係止受部２１を上記横葺きされる樹脂系屋根材（不図示）に形成しても良い。
【００３０】
なお、本実施例の係止部１１は、樹脂系屋根材１と一体成形された樹脂材で形成したものを示しているが、この係止部１１が収縮性を備えたゴム材、発泡材等で形成すれば、係止部１１を係止受部２１に係止する際、係止部１１をスライドさせずに係止受部２１に向けて押し込むだけで簡単に係止できる。
【００３１】
このようにして固定された一方の樹脂系屋根材１の係止部１１に、他方の樹脂系屋根材２の係止受部２１を係止しながら重合させて隣接すれば、これらの樹脂系屋根材１、２を互いに密接した状態で一体化しながら敷設施工できる。
【００３２】
このように、本発明に係る樹脂系屋根材の施工構造Ａによれば、従来のような吊り子を用いることなく、一方の樹脂系屋根材１の係止部１１を、他方の樹脂系屋根材２の係止受部２１に係止するだけで、隣接される樹脂系屋根材１、２同士を簡単且つ確実に一体化できるので、施工作業が容易であるうえ、係止された樹脂系屋根材１、２同士が密着されるので隙間も生じることがなく、その重合部分から雨水が浸入して雨漏りする危険も防止できる。
【００３３】
また、本実施例のように係止部１１を上方に向けて突設しておけば、万一、雨水が浸入しても、この係止部１１が防水壁となって、それ以上の浸入を防止できる点で好ましい。
【実施例２】
【００３４】
図２（ａ）〜（ｄ）は、本発明に係る係止部１１及び係止受部２１の他の実施例を示した部分拡大断面図である。
【００３５】
なお、図１と共通する部位には、共通の符号を付し、その説明は省略し、ここでは、その特徴のみを説明する。
【００３６】
図２（ａ）で示す樹脂系屋根材の施工構造Ａは、一方の樹脂系屋根材１の係止部１が、上方に向けて拡開された逆山形状に形成され、他方の樹脂系屋根材２には、これを係止するために下方に向けて狭めたアリ溝状に形成したものを示している。
【００３７】
このような係止部１１及び係止受部２１によれば、一旦係止された係止構造Ａがスライドさせない限り離脱されることがなく、確実に係止できる。
【００３８】
図２（ｂ）で示す樹脂系屋根材の施工構造Ａは、一方の樹脂系屋根材１の係止部１が、上方から基端側に向けて突設されたフック状に形成され、他方の樹脂系屋根材２には、これを係止するために、下方から基端に向けて掘削された係止受部２１を示している。
【００３９】
このような係止部１１及び係止受部２１によれば、樹脂材で形成された硬質の係止部１１であっても、これをスライドさせなくても、簡単に係止受部２１に係止することができる。
【００４０】
図２（ｃ）で示す樹脂系屋根材の施工構造Ａは、図２（ｂ）で示した係止部１１と係止受部２１とが逆構造のものを示しており、図２（ｂ）と同様の効果を得ることができる。
【００４１】
図２（ｄ）で示す樹脂系屋根材の施工構造Ａは、一方の樹脂系屋根材１の係止部１が、上方から基端側に向けて突設されたフック状に形成されているが、その立ち上げた空間に、他方の樹脂系屋根材２の端縁が嵌合して係止される構造のものを示している。
【００４２】
このような係止部１１によれば、他方の樹脂系屋根材２に係止受部２１を形成しなくても、隣接する樹脂系屋根材１、２同士を簡単に係止することができる。
【００４３】
なお、本実施例で示した樹脂系屋根材１、２の山部１３、２３に、従来の吊り子（不図示）を更に装着することも可能であり、この場合には、波型の樹脂系屋根材の山部１３、２３に上記吊り子（不図示）を設けると共に、谷部１２、２２には、係止部１１及び係止受部２１を係止させて、隣接される樹脂系屋根材１、２同士を、より確実に一体化することもできる。
【図面の簡単な説明】
【００４４】
【図１】本発明に係る樹脂系屋根材の施工構造Ａの一実施例を示す一部破断された施工状態の斜視図である。
【図２】（ａ）〜（ｄ）は、本発明に係る係止部１１及び係止受部２１の他の実施例を示した部分拡大断面図である。
【図３】従来の樹脂系屋根材の施工構造Ａの一実施例を示す一部破断された施工状態の斜視図である。
【符号の説明】
【００４５】
Ａ      樹脂系屋根材の施工構造
Ｙ      屋根
１      一方の樹脂系屋根材
１１    係止部
２      他方の樹脂系屋根材
２１    係止受部
【図１】
2006307539.tif 000003
【図２】
2006307539.tif 000004
【図３】
2006307539.tif 000005